【事件の表示】
　特許第３１３２５１４号「木目調化粧シート及び該化粧シートの製造に使用するエンボス版」の請求項１ないし４に係る特許に対する特許異議の申立てについて、次のとおり決定する。
【結　論】
　特許第３１３２５１４号の請求項１ないし４に係る特許を取り消す。
【理　由】
 第１　手続の経緯
　本件特許第３１３２５１４号は、平成３年６月７日に出願され、平成１２年１１月２４日に設定登録され、平成１３年８月１日に特許異議申立人凸版印刷株式会社より特許異議の申立てがなされ、当審の平成１３年１０月２２日付取消理由通知に対して、特許権者は平成１３年１２月２８日付特許異議意見書を提出したものである。
第２　特許異議の申立てについての判断
１　本件発明
　本件請求項１〜４に係る発明は、本件特許明細書における特許請求の範囲の請求項１〜４に記載された次のとおりのものである。
　「【請求頃１】
　少なくとも表面及び／又は裏面に凹凸模様が設けられた基材シートを有する化粧シートにおいて、上記凹凸模様が凹部及び凸部の幅が１〜１０００μｍの、平行直線群、連続する曲線群、関数曲線のパラメータを順次変化させて各曲線の間隔が線と直交する方向に滑らかに変化するように形成したウェーブ状曲線群、上記平行直線群、曲線群及びウェーブ状曲線群を組み合わせた線群から選ばれた線群からなる溝状凹凸模様と、天然木の組織を模した凹凸模様との２種類の凹凸模様からなることを特徴とする木目調化粧シート。
　【請求項２】
　基材シートが光輝性顔料を有する熱可塑性樹脂シートである請求項１記載の木目調化粧シート。
　【請求項３】
　基材シートの表面側及び／又は裏面側に光輝性層が設けられている請求項１〜２記載の木目調化粧シート。
　【請求項４】
　凹部及び凸部の幅が１〜１０００μｍの、平行直線群、連続する曲線群、関数曲線のパラメータを順次変化させて各曲線の間隔が線と直交する方向に滑らかに変化するように形成したウェーブ状曲線群、上記平行直線群、曲線群及びウェーブ状曲線群を組み合わせた線群から選ばれた線群からなる溝状凹凸模様と、天然木の組織を模した凹凸模様との２種類の凹凸模様が表面に形成されていることを特徴とするエンボス版。」
２　特許異議申立ての理由の概要
　特許異議申立ての理由の概要は、甲第１号証の特開昭５４−１５３８６３号公報、甲第２号証の特開平３−８４７７号公報及び甲第３号証の実開昭６３−７２０３６号公報を提出して、本件特許の請求項１〜４に係る発明は、前記甲第１号証乃至甲第３号証に記載された発明に基づいて当業者が容易に発明をすることができたものであるから、本件特許は、特許法第２９条第２項の規定に違反してなされたもので、取り消されるべきものであるというにある。
３　当審の判断
　特許異議申立ての理由に沿って、上記取消理由を通知した。
１　刊行物の記載
（１）　特開昭５４−１５３８６３号公報（甲第１号証、以下、「刊行物１」という。）　刊行物１には次のア〜キの事項が記載されている。
ア　　「（１）エンボス版を用いてエンボス可能な素材シートにエンボス模様を形成したのち、エンボス形成された凹部に着色剤を充填するか、又はエンボス版を用いてエンボス可能な素材シートにエンボス模様を形成すると同時にエンボス模様の凹部に印刷を施こすエンボス化粧材の製造方法において、前記エンボス版として凹みを強調したい部分に凹部を形成する為の凸状押型部と該凸状押型部以外の領域にエンボス化粧材の化粧模様のオリジナル原稿の階調に相応した面積、密度、及び高さの変化を有する複数の網点、万線、不規則なヘアーライン、砂目等の平面形状の微細凸部を有するエンボス版を用いることを特徴とするエンボス化粧材の製造方法。」（特許請求の範囲第１項）
イ　　「（２）凹みを強調したい部分に凹部を形成する為の凸状押型部と該凸状押型部以外の領域にエンボス化粧材の化粧模様のオリジナル原稿の階調に相応した面積、密度、及び高さの変化を有する複数の網点、万線、不規則なヘアーライン、砂目等の平面形状の微細凸部を有するエンボス版。」（特許請求の範囲第２項）
ウ　　「而して上記の本発明に係るエンボス版において、凸状押型部の形状としては、型押しするエンボス模様の種類によって種々のものがあるが、例えば、木目模様、石目模様、布目模様、レザー模様等にあっては、それぞれ導管部、石目部、布目部、レザーの大きなしぼ部を形成する凸部その他抽象柄等にあっては、これと同調する凸部等の形状等をとり得る。又、微細凸部の形状としては木肌、石肌、布及びレザーの小さなしぽ部等の色調の変化及び立体感並びに風合を表現する微細な網点、万線、不規則なヘアーライン、砂目等の微細凸部をとり得る。」（第３頁左上欄第１〜１２行）
エ　　「予めボケ版及び木肌版と称される木理の不明確な木目模様が印刷された塩化ビニール樹脂に上記エンボス版を使用してエンボス加工を施こした。次いで、公知のワイピング法により、凹部に原稿色に適したインキを充填してからロールコート法によりトップコート層を形成し、自然木に匹敵し得る凹凸形状と表面の質感及び色調変化を備えたエンボス化粧シートを得た。」（第４頁左下欄第１５行〜右下欄第２行）
　上記ア〜エの記載事項及び第３図、第４図を参照すると、刊行物１には次の発明が記載されていると言える。
オ　　表面に凹凸模様が設けられたエンボス可能な素材シートを有する化粧シートにおいて、上記凹凸模様が平行直線群からなる微細凹部と、木目模様のエンボス模様との２種類の凹凸模様からなることを特徴とする木目調化粧シート。（刊行物１の第１発明）
カ　　上記エンボス可能な素材シートは、熱可塑性樹脂シートであること。
キ　　凹凸模様が平行直線群からなる微細凸部と、木目模様のエンボス模様との２種類の凹凸模様が表面に形成されていることを特徴とするエンボス版。（刊行物１の第２発明）
（２）　特開平３−８４７７号公報（甲第２号証、以下、「刊行物２」という。）
　刊行物２には次の事項が記載されている。
ア　　「裏面側に凹凸模様を設けた透明又は半透明の基材シートの凹凸模様面側に、光輝性べタ印刷層又は光輝性パターン印刷層が設けられていることを特徴とする化粧シート。」（特許請求の範囲第１項）
イ　　「凹凸模様が、凸部及び凹部の幅が１〜１００μｍの平行直線群ないし連続する曲線群、或いは上記平行直線群と曲線群との組み合わせより成ることを特徴とする請求項１記載の化粧シート。」（特許請求の範囲第２項）
ウ　　「凸部の幅及び凹部の幅がいずれも３０μｍ、版深１０μｍのウェーブ状の縞模様を有するエンボスロールを用い、０．１５ｍｍのブラウン系着色塩化ビニルシートに加熱ドラム温度１５０℃、エンボスロール温度６０℃、線圧ｌｔ、シート送り速度１０ｍ／ｍｉｎの条件で凹凸模様を形成した。次に、凹凸模様を施されたシートの凹凸面にグラビヤ印刷により、木目印刷を施し、更に６０μｍベタ版で、雲母粉を含むパールインキを用いて光輝性印刷層を印刷形成した。更に、塩化ビニルシートの表面に６０μｍのべタ版を用い、熱硬化性ウレタン樹脂をグラビヤコートして表面保護層を形成して化粧シートとした。得られたシートは木目の照り、立体感を有し、且つ表面物性の優れるものであった。」（第４頁右下欄第９行〜第５頁左上欄第３行）
（３）　甲第３号証　　実開昭６３−７２０３６号公報（甲第３号証、以下、「刊行物３」という。）
　刊行物３には次の事項が記載されている。
　「（１）無地又は絵柄層を設けた基材フィルム上に表面に複数の平行な条模様からなる縞模様を一単位模様とし、隣合った単位模様同志の条模様の条方向が互いに異なるように組合されたエンボス模様を施した干渉パール粉を混入した透明フィルムを積層してなる化粧シート。」（実用新案登録請求の範囲第１項）
２　対比・判断
（１）　本件請求項１について
　本件請求項１に記載された発明（前者）と上記刊行物１の第１発明（後者）を対比すると、後者のエンボス可能な素材シート、微細凹部、木目模様のエンボス模様が、それぞれ前者の基材シート、溝状凹凸模様、天然木の組織を模した凹凸模様、に相当しており、両者は、
　少なくとも表面及び／又は裏面に凹凸模様が設けられた基材シートを有する化粧シートにおいて、平行直線群からなる溝状凹凸模様と、天然木の組織を模した凹凸模様との２種類の凹凸模様からなることを特徴とする木目調化粧シート。
で一致している。
　そして、両者は次のアの点で相違している。　　　　
ア　前者の溝状凹凸模様の凹凸模様が、凹部及び凸部の幅が１〜１０００μｍであるのに対し、後者は、この大きさが不明である点。（相違点１）
　上記相違点を検討するに、刊行物２にはこの種の化粧シートにおいて、凸部及び凹部の幅が１〜１００μｍの平行直線群からなる凹凸模様を設けることが記載されている。そして、後者の微細凹部の凹凸模様として上記刊行物２の凹凸模様を適用することは、後者の微細凹部は、色調の変化及び立体感並びに風合を表現する微細な万線等の微細凹部であり、刊行物２の凹凸模様も肉眼で見る方向により反射光が変化し、それに伴って優れた立体感を得ることができるものであるから、その作用・効果も共通しており当業者であれば容易である。
（２）　本件請求項２について
　請求項２に記載の発明（前者）と刊行物１の第１発明（後者）を比較すると前記、後者のエンボス可能な素材シート、即ち基材シートは、上記１の（１）カの如く熱可塑性樹脂シートであるから、両者は上記相違点１に加え
イ　前者の基材シートが光輝性顔料を有するのに対し、後者は、この構成が不明である点。（相違点２）
で相違している。
　刊行物３には、この種の化粧シートにおいて、透明フィルム部分に光輝性顔料としてパール粉を混入する技術事項が記載されており、この技術事項を後者の基材シート部分に適用することは、当業者であれば適宜なし得る程度のものである。
（３）　本件請求項３について
　請求項３に記載の発明（前者）と刊行物１の第１発明（後者）を比較すると、両者は上記相違点１及び相違点２に加え、
ウ　　前者は、基材シートの表面側及び／又は裏面側に光輝性層が設けられているのに対し、後者は、この構成が不明である点。（相違点３）
で相違している。
　しかし、刊行物２には、基材シートの裏面側に光輝性層を設けることが記載されており、この点を後者の基材シート部に適用することは、刊行物２は本件請求項１の相違点１に関する引用刊行物であるから、当業者であれば容易である。
（４）　本件請求項４について
　請求項４に記載の発明（前者）と刊行物１の第２発明（後者）を比較すると、
後者の微細凸部、木目模様のエンボス模様が、それぞれ前者の溝状凹凸模様、天然木の組織を模した凹凸模様、に相当しており、両者は、
　平行直線群からなる溝状凹凸模様と、天然木の組織を模した凹凸模様との２種類の凹凸模様が表面に形成されていることを特徴とするエンボス版。
で一致している。
そして、両者は次のエの点で相違している。　　　　
エ　　前者の溝状凹凸模様の平行直線群の凹部及び凸部の幅が１〜１０００μｍであるのに対し、後者は、この大きさが不明である点。（相違点４）
　刊行物２には化粧シートにおいて、凸部及び凹部の幅が１〜１００μｍの平行直線群からなる凹凸模様を、上記１の（２）ウの如くエンボス版に相当するエンボスロールにより形成することが実質的に記載されている。そして、後者の微細凸部を有するエンボス版の凹凸模様として、上記刊行物２のエンボスロールの凹凸模様を適用することは、当業者であれば容易である。
第３　まとめ
　以上のように、本件請求項１〜４に係る発明は、刊行物１〜３に記載の発明に基づいて当業者が容易に発明をすることができたものと認められ特許法第２９条第２項の規定により特許を受けることができないものであり、その特許は取り消すべきものである。
　よって、結論のとおり決定する。
【異議決定日】
平成１４年１月１６日（２００２．１．１６）